(57)【要約】【課題】プロジェクターの投写面に指示する指示体の操作により、投写面上の描画と、プロジェクターの設定項目の変更操作とを行うことができるプロジェクターを提供する。【解決手段】プロジェクター１は、画像投写手段１０によって投写された投写画像内において、電子ペン４０が指し示す位置を検出するペン操作検出手段２５と、検出した位置が投写画像内の特定領域にあった場合に、投写画像内に描画を行う描画モードと、プロジェクター１の複数の設定項目を設定するメニュー設定モードとの切替えを行うモード設定手段２０１とを備える。【選択図】図４
2014220792.tif 000002
【特許請求の範囲】
【請求項１】
光源から射出された光を画像情報に応じて変調し、投写面に投写する画像投写手段を有
するプロジェクターであって、
前記画像投写手段によって投写された投写画像内において、指示体が指し示す位置を検
出する位置検出手段と、
前記位置に応じて前記投写画像内に描画を行う描画モード、または前記位置に応じて当
該プロジェクターの複数の設定項目を設定するメニュー設定モード、のいずれかを設定す
るモード設定手段と、を備え、
前記モード設定手段は、前記位置が前記投写画像内の特定領域にあった場合に前記モー
ドの切り替えを行う、ことを特徴とするプロジェクター。
【請求項２】
請求項１に記載のプロジェクターにおいて、
前記画像投写手段は、前記メニュー設定モードにおいて、前記設定項目を設定するため
の設定画面を投写する、ことを特徴とするプロジェクター。
【請求項３】
請求項２に記載のプロジェクターにおいて、
前記画像投写手段は、前記特定領域内での前記位置に応じて、前記設定画面の投写位置
を変更する、ことを特徴とするプロジェクター。
【請求項４】
請求項１から３のいずれか一項に記載のプロジェクターにおいて、
前記画像投写手段は、前記プロジェクターが電源オンするとき、前記描画モード、また
は前記メニュー設定モードへの切替画面を投写し、
前記モード設定手段は、前記切替画面において所定の切替操作を検出した場合に前記モ
ードの切り替えを行う、ことを特徴とするプロジェクター。
【請求項５】
光源から射出された光を画像情報に応じて変調し、投写面に投写する画像投写手段を有
するプロジェクターの制御方法であって、
前記画像投写手段によって投写された投写画像内において、指示体が指し示す位置を検
出する位置検出ステップと、
前記位置に応じて前記投写画像内に描画を行う描画モード、または前記位置に応じて当
該プロジェクターの複数の設定項目を設定するメニュー設定モード、のいずれかを設定す
るモード設定ステップと、
前記位置が前記投写画像内の特定領域にあった場合に前記モード設定ステップにより前
記モードの切り替えを行う制御ステップと、
を有することを特徴とするプロジェクターの制御方法。
【請求項６】
画像情報に応じた画像を表示する画像表示手段を有する表示装置であって、
前記画像表示手段によって表示された表示画像内において、指示体が指し示す位置を検
出する位置検出手段と、
前記位置に応じて前記表示画像内に描画を行う描画モード、または前記位置に応じて当
該表示装置の複数の設定項目を設定するメニュー設定モード、のいずれかを設定するモー
ド設定手段と、を備え、
前記モード設定手段は、前記位置が前記表示画像内の特定領域にあった場合に前記モー
ドの切り替えを行う、ことを特徴とする表示装置。
【発明の詳細な説明】
【技術分野】
【０００１】
本発明は、画像を投写するプロジェクター、表示装置、およびプロジェクターの制御方
法に関する。
【背景技術】
【０００２】
従来、コンピューター等から出力される画像信号に基づく画像をプロジェクター等の表
示装置によってスクリーン等に表示するとともに、電子ペンを用いて投写画像に対して行
ったユーザーの操作を表示装置が検出し、ユーザーの操作に関する情報に基づく画像を生
成して表示させる電子黒板システム（インタラクティブシステム）が提案されている（例
えば、特許文献１）。
【先行技術文献】
【特許文献】
【０００３】
【特許文献１】特開２０１１−１４０１５４号公報
【発明の概要】
【発明が解決しようとする課題】
【０００４】
しかしながら、特許文献１のような装置では、プロジェクター固有の設定、例えば投写
画質の調整や内部の設定項目の変更操作を行いたい場合には、専用のリモートコントロー
ラー（リモコン）が必要であり、電子ペンとリモコンの両方を持ち替えて使用しなければ
ならないという問題があった。このため、電子ペンのみで、投写面上への描画と、プロジ
ェクターの設定項目の変更操作とを行うことができるプロジェクターが求められていた。
【課題を解決するための手段】
【０００５】
本発明は、上述の課題の少なくとも一部を解決するためになされたものであり、以下の
形態または適用例として実現することが可能である。
【０００６】
［適用例１］本適用例に係るプロジェクターは、光源から射出された光を画像情報に応
じて変調し、投写面に投写する画像投写手段を有するプロジェクターであって、前記画像
投写手段によって投写された投写画像内において、指示体が指し示す位置を検出する位置
検出手段と、前記位置に応じて前記投写画像内に描画を行う描画モード、または前記位置
に応じて当該プロジェクターの複数の設定項目を設定するメニュー設定モード、のいずれ
かを設定するモード設定手段と、を備え、前記モード設定手段は、前記位置が前記投写画
像内の特定領域にあった場合に前記モードの切り替えを行うことを特徴とする。
【０００７】
本適用例によれば、モード設定手段により、指示体である電子ペンの操作位置に応じ、
投写面上の投写画像内に描画する描画モードと、プロジェクターの設定項目を変更するメ
ニュー設定モードとのいずれかに切り替えることができる。従って、電子ペンのみで、描
画操作とプロジェクターの設定操作との両方を行うことが可能となるプロジェクターを実
現できる。
【０００８】
［適用例２］上記適用例に記載のプロジェクターにおいて、前記画像投写手段は、前記
メニュー設定モードにおいて、前記設定項目を設定するための設定画面を投写することが
好ましい。
【０００９】
本適用例によれば、プロジェクターの設定項目を設定するための設定画面が投写される
ので、電子ペンによるメニュー設定操作を行いやすくすることが可能となる。
【００１０】
［適用例３］上記適用例に記載のプロジェクターにおいて、前記画像投写手段は、前記
特定領域内での前記位置に応じて、前記設定画面の投写位置を変更することが好ましい。
【００１１】
本適用例によれば、電子ペンの操作位置により設定画面の投写位置を変更することがで
きるので、描画中の画面の妨げにならない位置に設定画面を表示させることが可能となる
。
【００１２】
［適用例４］上記適用例に記載のプロジェクターにおいて、前記画像投写手段は、前記
プロジェクターが電源オンするとき、前記描画モード、または前記メニュー設定モードへ
の切替画面を投写し、前記モード設定手段は、前記切替画面において所定の切替操作を検
出した場合に前記モードの切り替えを行うことが好ましい。
【００１３】
本適用例によれば、プロジェクターが電源オンするときに描画モードまたはメニュー設
定モードへの切替画面が表示され、ユーザーに切り替え方法を知らせるので使い勝手が向
上する。
【００１４】
［適用例５］本適用例に係るプロジェクターの制御方法は、光源から射出された光を画
像情報に応じて変調し、投写面に投写する画像投写手段を有するプロジェクターの制御方
法であって、前記画像投写手段によって投写された投写画像内において、指示体が指し示
す位置を検出する位置検出ステップと、前記位置に応じて前記投写画像内に描画を行う描
画モード、または前記位置に応じて当該プロジェクターの複数の設定項目を設定するメニ
ュー設定モード、のいずれかを設定するモード設定ステップと、前記位置が前記投写画像
内の特定領域にあった場合に前記モード設定ステップにより前記モードの切り替えを行う
制御ステップと、を有することを特徴とする。
【００１５】
本適用例によれば、指示体である電子ペンの操作位置を検出する位置検出ステップと、
投写面上に描画する描画モードと、プロジェクターの設定項目を変更するメニュー設定モ
ードのいずれかを設定するモード設定ステップと、位置検出ステップが検出した位置に応
じ、描画モードまたはメニュー設定モードに切り替える制御ステップを有することにより
、電子ペンのみで、描画操作とプロジェクターの設定操作の両方を行うことが可能となる
。
【００１６】
［適用例６］本適用例に係わる表示装置は、画像情報に応じた画像を表示する画像表示
手段を有する表示装置であって、前記画像表示手段によって表示された表示画像内におい
て、指示体が指し示す位置を検出する位置検出手段と、前記位置に応じて前記表示画像内
に描画を行う描画モード、または前記位置に応じて当該表示装置の複数の設定項目を設定
するメニュー設定モード、のいずれかを設定するモード設定手段と、を備え、前記モード
設定手段は前記位置が前記表示画像内の特定領域にあった場合に前記モードの切り替えを
行う、ことを特徴とする。
【００１７】
本適用例によれば、モード設定手段により、指示体が指し示す位置に応じ、表示画像内
に描画する描画モードと、表示装置の設定項目を変更するメニュー設定モードとのいずれ
かに切り替えることができる。従って、指示体のみで、描画操作と表示装置の設定操作と
の両方を行うことが可能となる表示装置を実現できる。
【図面の簡単な説明】
【００１８】
【図１】実施形態に係るプロジェクターの使用形態を示す説明図。
【図２】電子ペンの外観図。
【図３】プロジェクターの画面遷移を示す図。
【図４】プロジェクターの回路構成を示すブロック図。
【図５】プロジェクターの動作を示すフローチャート。
【図６】電源オン時に投写されるモード切替画面を示す図。
【図７】変形例１に係るメニュー設定モードの表示画面を示す図。
【発明を実施するための形態】
【００１９】
以下、図面を参照して本発明の一実施形態について説明する。
なお、以下の実施形態は特許請求の範囲にかかる発明を限定するものではなく、また、
実施形態における特徴の組み合わせの全てが発明の解決手段に必須であるとは限らない。
【００２０】
（実施形態）
図１は本実施形態のプロジェクター１の使用形態を示す説明図である。
図１に示すように、プロジェクター１がユーザーＨの頭上に天吊り設置され、ユーザー
Ｈはプロジェクター１が画像を投写する投写面ＳＣ上で電子ペン４０を使って描画操作を
行う。プロジェクター１は、後述するペン操作検出手段２５（図４参照）により電子ペン
４０が指し示す位置などの操作情報を検出する。そしてプロジェクター１は、電子ペン４
０の描画操作に基づく描画データを画像情報に合成し、投写面ＳＣに投写する。なお、本
実施形態における電子ペン４０が指示体に相当する。
【００２１】
図２は電子ペン４０の外観図である。
図２に示すように、電子ペン４０は先端が尖ったペン型の筐体４０Ａに収納されており
、筐体４０Ａの先端にペン先スイッチ４０Ｂと、赤外光を発する発光部４０Ｃとを備えて
いる。
【００２２】
図３は本実施形態に係るプロジェクター１の画面遷移を示す図であり、（ａ），（ｄ）
は描画モードの表示状態、（ｂ），（ｅ）はメニュー設定モードの表示状態、（ｃ）はメ
ニュー設定モードでの設定時の表示状態例を示す図である。
【００２３】
図３（ａ）に示すように、描画モードにおいては電子ペン４０の操作に基づいて投写面
ＳＣ上の描画領域Ｇ１に描画データが作成される。この状態において投写面ＳＣの右側の
特定領域Ｇ２を電子ペン４０によってタップ（ペンダウン）すると、図３（ｂ）のメニュ
ー設定モードに遷移する。
【００２４】
図３（ｂ）に示すように、メニュー設定モードにおいては設定する設定項目一覧が表示
される。図３（ｂ）において設定項目一覧からコントラスト調整を選択すると、図３（ｃ
）に遷移する。
【００２５】
図３（ｃ）はメニュー設定モードにおける設定画面の一例であり、コントラスト調整時
の画面を示す。この状態では電子ペン４０でスライドバーＧＳを操作することでコントラ
スト調整を行う。
図３（ｂ），（ｃ）のメニュー設定モードにおいて電子ペン４０で特定領域Ｇ２をタッ
プすると、設定項目一覧および、設定画面が消去され、図３（ｄ）の描画モードに遷移す
る。図３（ｄ）はメニュー設定モードから描画モードに戻ったときの表示状態を示す。
【００２６】
図３（ｂ）は描画モードにおいて特定領域Ｇ２の上下中央付近を電子ペン４０でタップ
してメニュー設定モードに遷移したときの画面であるが、図３（ａ）および図３（ｄ）の
描画モードにおいて、電子ペン４０で特定領域Ｇ２の上端付近をタップすると、図３（ｅ
）に遷移する。
図３（ｅ）に示すように、電子ペン４０で特定領域Ｇ２の上端をタップした場合、メニ
ュー設定画面が上側に表示される。つまり、メニュー設定モードにおいてユーザーの所望
の位置に設定画面を表示させることができる。
【００２７】
図４は本実施形態のプロジェクター１の回路構成を示すブロック図である。
図４に示すように、プロジェクター１は、画像入力端子６、画像投写手段１０、ＯＳＤ
処理手段１６、画像信号処理手段１７、画像信号入力手段１８、制御手段２０、記憶手段
２１、光源制御手段２２、入力操作手段２３、ペン操作検出手段２５、電源端子３０、電
源部３１等で構成されており、これらは図示しないプロジェクター１の筐体の内部、また
は外面に収容されている。
【００２８】
画像投写手段１０は、光源１１、光変調装置としての３つの液晶ライトバルブ１２Ｒ，
１２Ｇ，１２Ｂ、投写光学系としての投写レンズ１３、液晶駆動手段１４等を含んでいる
。画像投写手段１０は、光源１１から射出された光を、液晶ライトバルブ１２Ｒ，１２Ｇ
，１２Ｂで変調し、投写レンズ１３から投写することによって投写面ＳＣ等に画像を表示
する。
【００２９】
光源１１は、超高圧水銀ランプやメタルハライドランプ等からなる放電型の光源ランプ
１１ａと、光源ランプ１１ａが放射した光を液晶ライトバルブ１２Ｒ，１２Ｇ，１２Ｂ側
に反射するリフレクター１１ｂとを含んで構成されている。
光源１１から射出された光は、図示しないインテグレーター光学系によって輝度分布が
略均一な光に変換され、図示しない色分離光学系によって光の３原色である赤色（Ｒ）、
緑色（Ｇ）、青色（Ｂ）の各色光成分に分離された後、それぞれ液晶ライトバルブ１２Ｒ
，１２Ｇ，１２Ｂに入射する。
【００３０】
液晶ライトバルブ１２Ｒ，１２Ｇ，１２Ｂは、一対の透明基板間に液晶が封入された液
晶パネル等によって構成される。液晶ライトバルブ１２Ｒ，１２Ｇ，１２Ｂには、マトリ
ックス状に配列された複数の画素（図示せず）が形成されており、液晶に対して画素毎に
駆動電圧を印加可能になっている。
液晶駆動手段１４が、入力される画像情報に応じた駆動電圧を各画素に印加すると、各
画素は、画像情報に応じた光透過率に設定される。このため、光源１１から射出された光
は、この液晶ライトバルブ１２Ｒ，１２Ｇ，１２Ｂを透過することによって変調され、画
像情報に応じた画像光が色光毎に形成される。
形成された各色の画像光は、図示しない色合成光学系によって画素毎に合成されてカラ
ーの画像光となった後、投写レンズ１３によって投写面ＳＣ等に拡大投写される。
【００３１】
本実施形態では、光源１１として光源ランプ１１ａを用いて投写するプロジェクター１
を例示したが、本発明は光源としてＬＥＤ（Light emitting diode）光源やレーザー光源
などを用いて投写するプロジェクターにも適用することができる。
【００３２】
なお、本実施形態では、画像投写手段１０は、３つの液晶ライトバルブ１２Ｒ，１２Ｇ
，１２Ｂを用いた透過型液晶方式の投写光学系を例示したが、反射型液晶表示方式やマイ
クロミラーデバイス方式（ライトスイッチ表示方式）など、他の表示方式の光変調装置を
採用しても良い。
【００３３】
画像信号入力手段１８は、複数の画像入力端子６より、ビデオ再生装置やパーソナルコ
ンピューター等、外部の画像出力装置から、図示しないケーブル、又は通信機器などを介
して画像情報が入力される。入力された画像情報は、制御手段２０の指示に基づき、画像
信号処理手段１７に出力される。なお、画像信号入力手段１８は、無線通信や光通信など
の受信部を備え、外部機器から無線によって画像信号を入力する構成にしてもよい。
【００３４】
画像信号処理手段１７は、制御手段２０の指示に基づき、画像信号入力手段１８から入
力される画像情報を、液晶ライトバルブ１２Ｒ，１２Ｇ，１２Ｂの各画素の階調を表す画
像情報に変換する。ここで、変換された画像情報は、赤（Ｒ）、緑（Ｇ）、青（Ｂ）の色
光別になっており、各液晶ライトバルブ１２Ｒ，１２Ｇ，１２Ｂのすべての画素に対応す
る複数の画素値によって構成されている。画素値とは、対応する画素の光透過率を定める
ものであり、この画素値によって、各画素を透過し射出する光の強弱（階調）が規定され
る。
【００３５】
ＯＳＤ処理手段１６は、制御手段２０の指示に基づいて、投写画像上に、メニュー画像
やメッセージ画像等のＯＳＤ（オンスクリーンディスプレイ）画像を重畳して表示するた
めの処理を行う。ＯＳＤ処理手段１６は、図示しないＯＳＤメモリーを備えており、ＯＳ
Ｄ画像を形成するための図形やフォント等を表すＯＳＤ画像情報を記憶している。
【００３６】
制御手段２０が、ＯＳＤ画像の重畳表示を指示すると、ＯＳＤ処理手段１６は、必要な
ＯＳＤ画像情報をＯＳＤメモリーから読み出し、投写画像上の所定の位置にＯＳＤ画像が
重畳されるように、画像信号処理手段１７から入力される画像情報にこのＯＳＤ画像情報
を合成する。ＯＳＤ画像情報が合成された画像情報は、液晶駆動手段１４に出力される。
なお、制御手段２０からＯＳＤ画像を重畳する旨の指示がない場合には、ＯＳＤ処理手
段１６は、画像信号処理手段１７から入力される画像情報を、そのまま液晶駆動手段１４
に出力する。
【００３７】
液晶駆動手段１４は、ＯＳＤ処理手段１６から入力される画像情報に従って液晶ライト
バルブ１２Ｒ，１２Ｇ，１２Ｂを駆動すると、液晶ライトバルブ１２Ｒ，１２Ｇ，１２Ｂ
は、画像情報に応じた画像を形成し、この画像が投写レンズ１３から投写される。
【００３８】
制御手段２０は、ＣＰＵ（Central Processing Unit）や、各種データ等の一時記憶に
用いられるＲＡＭ（Random Access Memory）等を備え、記憶手段２１に記憶されている制
御プログラム（図示せず）に従って動作することによりプロジェクター１の動作を統括制
御する。つまり、制御手段２０は、記憶手段２１とともにコンピューターとして機能する
。制御手段２０は、プロジェクター１を電子ペン４０の操作位置に応じて描画する描画モ
ードと、プロジェクター１の複数の設定項目を変更するメニュー設定モードのいずれかに
設定するモード設定手段２０１を備える。
【００３９】
記憶手段２１は、フラッシュメモリーやＦｅＲＡＭ等の書き換え可能な不揮発性のメモ
リーにより構成されており、プロジェクター１の動作を制御するための制御プログラムや
、プロジェクター１の動作条件等を規定する各種設定データ等が記憶されている。
【００４０】
光源制御手段２２は、制御手段２０の指示に基づいて、光源１１に対する電力の供給と
停止とを制御し、光源１１の点灯及び消灯を切り替える。
【００４１】
入力操作手段２３は、ユーザーがプロジェクター１に対して各種指示を行うための複数
の操作キーを備えている。入力操作手段２３は、図示は省略するが、ユーザーがプロジェ
クター１に対して各種指示を行うための複数の操作キーを備え、プロジェクター１の筐体
（図示せず）の外面に備えられる本体キーで構成される。
【００４２】
入力操作手段２３が備える操作キーとしては、電源のオン・オフを交互に切り替えるた
めの電源キーや、複数の画像入力端子６を切り替えるための入力切替キー、設定メニュー
等を重畳表示させるためのメニューキー、設定メニュー等で項目の選択に用いられる方向
キー（上下左右に対応する４つの操作キー）、選択された項目を確定させる決定キー、動
作の取り消し等を行うための取消キー等がある。
なお、本実施形態においては、メニュー設定モードにおいて電子ペン４０の操作により
メニュー操作と同様の動作を行う。
【００４３】
ユーザーが入力操作手段２３の各種操作キーを操作すると、入力操作手段２３は、ユー
ザーの操作内容に応じた操作信号を制御手段２０に出力する。なお、入力操作手段２３は
、リモートコントローラー（リモコン）信号受信手段（図示せず）と遠隔操作が可能なリ
モートコントローラー（図示せず）を有した構成としてもよい。この場合、リモートコン
トローラーは、ユーザーの操作内容に応じた赤外線等の操作信号を発し、リモコン信号受
信手段がこれを受信して制御情報として制御手段２０に伝達する。
【００４４】
ペン操作検出手段２５は、位置検出手段に相当するものであり、図示しない撮像素子な
どで構成され、制御手段２０の指示に基づいて、電子ペン４０の操作位置（座標）、およ
びペン先スイッチ４０Ｂ（図２参照）の押下状態などのペン操作状態を検出し、検出した
ペン操作情報を制御手段２０に通知する。
【００４５】
電源部３１には、ＡＣ１００Ｖ等の電力が電源端子３０を介して外部から供給される。
電源部３１は、例えば、商用電源（交流電源）を所定の電圧の直流電源に変換して、プロ
ジェクター１の各部に変換した電力を供給する。また、電源部３１は、制御手段２０の指
示に基づいて、画像の投写に必要な電力（動作電力）を各部に供給する状態（電源オン状
態）と、動作電力の供給を停止して、電源をオンにするための操作を待機する状態（スタ
ンバイ状態）とを切り替えることができる。
【００４６】
次に、本実施形態のプロジェクター１の動作を図５のフローチャートを用いて説明する
。
図５はプロジェクター１の動作を示すフローチャートであり、（ａ）は電子ペン４０の
ペンダウン操作を検出したときの動作、（ｂ）はプロジェクター１が電源オンするときの
動作をそれぞれ示す。
【００４７】
［ペンダウン操作を検出したときの動作］
図５（ａ）に示すように、プロジェクター１が動作中に、ペン操作検出手段２５が電子
ペン４０のペンダウン操作（ペンタップ）を検出すると（ステップＳ１０１）、ステップ
Ｓ１０２に遷移する。
【００４８】
ステップＳ１０２において制御手段２０は、ペン操作検出手段２５より電子ペン４０の
操作位置を取得し、ステップＳ１０３に遷移する。ステップＳ１０２が位置検出ステップ
に相当する。
【００４９】
ステップＳ１０３において制御手段２０は、ステップＳ１０２において取得した電子ペ
ン４０の操作位置が特定領域Ｇ２（図３参照）にあるか否かを調べる。操作位置が特定領
域Ｇ２にある場合（ステップＳ１０３：Ｙ）には、ステップＳ１０４に遷移する。操作位
置が特定領域Ｇ２にない場合（ステップＳ１０３：Ｎ）には、ステップＳ１０５に遷移す
る。ステップＳ１０３が制御ステップに相当する。
【００５０】
ステップＳ１０４においてモード設定手段２０１は描画モードと、メニュー設定モード
とのモード切替動作を行い。ステップＳ１１０に遷移する。ステップＳ１０４がモード設
定ステップに相当する。
【００５１】
ステップＳ１０５において制御手段２０は、モード設定手段２０１により描画モードに
設定されているか否かを調べる。描画モードに設定されている場合（ステップＳ１０５：
Ｙ）には、操作位置に応じた描画動作を行い（ステップＳ１０６）、ステップＳ１１０に
遷移する。一方、メニュー設定モードに設定されている場合（ステップＳ１０５：Ｎ）に
は、操作位置に応じたメニュー設定動作を行い（ステップＳ１０７）、ステップＳ１１０
に遷移する。
【００５２】
ステップＳ１１０において本動作フローを終了し、元の処理に戻る。
【００５３】
［プロジェクターが電源オンするときの動作］
図５（ｂ）に示すように、プロジェクター１がスタンバイ中に、入力操作手段２３の電
源キーなどにより電源オンすると（ステップＳ２０１）、ステップＳ２０２に遷移する。
【００５４】
ステップＳ２０２において制御手段２０は、光源制御手段２２により光源１１を点灯さ
せ、ステップＳ２０３に遷移する。
【００５５】
ステップＳ２０３において制御手段２０は、画像投写手段１０によりモード切替画面Ｍ
１（図６参照）を投写させてステップＳ２０４に遷移する。
ここで、図６は、電源オン時に投写されるモード切替画面Ｍ１を示す図である。
【００５６】
ステップＳ２０４において制御手段２０は、モード切替画面Ｍ１（図６参照）に対し、
モード切替操作を検出したか否かを調べる。具体的には図３に示すように電子ペン４０で
特定領域Ｇ２をタップしたか否かを調べる。モード切替操作を検出した場合（ステップＳ
２０４：Ｙ）には、モード設定手段２０１はメニュー設定モードに切り替え（ステップＳ
２０５）、ステップＳ２１０に遷移する。モード切替操作を検出しなかった場合（ステッ
プＳ２０４：Ｎ）には、ステップＳ２１０に遷移する。具体的には、電子ペン４０で図３
に示す描画領域Ｇ１をタップした場合、または、所定の時間が経過した場合には、モード
切替操作を検出しなかったとみなす。
【００５７】
ステップＳ２１０において本動作フローを終了し、画像の投写を開始する。
【００５８】
上述した実施形態によれば、以下の効果を得られる。
本実施形態のプロジェクター１によれば、指示体である電子ペン４０の操作位置に応じ
、投写面ＳＣ上に描画する描画モードと、プロジェクター１の設定項目を変更するメニュ
ー設定モードとのいずれかに切り替えることができる。従って、電子ペン４０のみで、描
画操作とプロジェクター１の設定操作との両方を行うことができるプロジェクターを提供
することができる。
【００５９】
また、プロジェクター１の設定項目を設定するための設定画面が投写されるので、電子
ペン４０によるメニュー設定操作が行いやすくなる。
【００６０】
また、電子ペン４０の操作位置により設定画面の投写位置を変更することができるので
、描画中の画面の妨げにならない位置に設定画面を表示させることが可能となる。
【００６１】
また、プロジェクター１が電源オンするときに描画モードまたはメニュー設定モードへ
の切り替え方法を示すモード切替画面Ｍ１が表示され、ユーザーに切り替え方法を知らせ
るので使い勝手が向上する。
【００６２】
また、本実施形態は、以下のように変更してもよい。
（変形例１）
上記実施形態においては、投写面ＳＣにおける特定領域の場所に応じて、メニュー設定
モードにおいて設定する設定項目の種類を変えるようにしてもよい。
ここで、図７は、変形例１に係るメニュー設定モードの表示画面を示す図である。
図７に示すように、描画モードにおいて、投写面ＳＣの左側の特定領域Ｇ３を電子ペン
４０でタップすることにより、図３の例とは異なる設定項目を表示する。つまり、電子ペ
ン４０でタップする位置により、設定する設定項目を選択することができるので、少ない
操作回数で目的の設定項目の設定画面を表示させることが可能となる。
【００６３】
（変形例２）
上記の実施形態および変形例の構成に限定されるものではなく、プロジェクター１は、
他の表示装置（図示は省略）であっても良い。表示装置としては、例えば、液晶テレビ、
プラズマディスプレイ、有機ＥＬ方式映像表示装置などの、表示画像を表示する表示パネ
ルを備えた構成であっても良い。また、表示パネル上の位置を指示する指示体としては、
電子ペン４０に限らず、タッチパネルおよびタッチペンなどを備えて構成されても良い。
表示パネル面の画素に対応して配置されたタッチパネル上の任意の位置がタッチペンで指
定されると、対応する表示画像内の位置が検出される（位置検出手段）。検出された位置
が、表示画像内の特定領域内である場合は、描画モードまたはメニュー設定モードの切り
替えを行う（モード設定手段）。このように、タッチパネルおよびタッチペンなどによる
操作のみで、描画モードとメニュー設定モードとの両方を行うことができる表示装置を提
供することができる。
【００６４】
（変形例３）
図４を用いて説明する。
上記の実施形態および変形例の構成に限定されるものではなく、表示装置は、ヘッドマ
ウントディスプレイ（図示は省略）であっても良い。ヘッドマウントディスプレイは、図
４に示す投写面ＳＣの代わりに透過型のハーフミラーがヘッドマウントディスプレイ本体
に内蔵され、図４に示すその他の構成要素は小型軽量化および低消費電力化された状態で
略同機能を有して構成されている。本変形例によるヘッドマウントディスプレイによれば
、視界方向に含まれる電子ペン４０を撮像し、投写画像内における電子ペン４０の位置を
検出する（位置検出手段）。検出された位置が、投写画像内の特定領域内である場合は、
描画モードまたはメニュー設定モードの切り替えを行う（モード設定手段）。
このように、電子ペン４０のみで、描画操作とヘッドマウントディスプレイへの設定操
作との両方を行うことができるヘッドマウントディスプレイを提供することができる。
【００６５】
また、ヘッドマウントディスプレイでは、ハーフミラーを透過して視認される景色の対
象物に対応する位置にコメントや絵などを電子ペン４０で描画する描画モードを構成する
ことができる。ユーザーは、描画モードで描画している途中で、モード設定手段によりメ
ニュー設定モードに切り替えて電子ペン４０の描画色や描画する線の太さなどを変更する
ことができる。このような描画の操作感は、景色を見ながら絵画のパレットを使用する感
覚に類似し、ユーザーにとって操作が分かりやすく、ユーザービリティが高いヘッドマウ
ントディスプレイを提供することができる。
【符号の説明】
【００６６】
１…プロジェクター、６…画像入力端子、１０…画像投写手段、１１…光源、１２Ｒ，
１２Ｇ，１２Ｂ…液晶ライトバルブ、１３…投写レンズ、１４…液晶駆動手段、１６…Ｏ
ＳＤ処理手段、１７…画像信号処理手段、１８…画像信号入力手段、２０…制御手段、２
０１…モード設定手段、２１…記憶手段、２２…光源制御手段、２３…入力操作手段、２
５…ペン操作検出手段、３０…電源端子、３１…電源部、４０…電子ペン、４０Ａ…筐体
、４０Ｂ…ペン先スイッチ、４０Ｃ…発光部、Ｇ１…描画領域、Ｇ２，Ｇ３…特定領域、
ＳＣ…投写面。
【図１】
2014220792.tif 000003
【図２】
2014220792.tif 000004
【図３】
2014220792.tif 000005
【図４】
2014220792.tif 000006
【図５】
2014220792.tif 000007
【図６】
2014220792.tif 000008
【図７】
2014220792.tif 000009